(57)【特許請求の範囲】
【請求項１】
ＳＭＤキャリアテープ（２ｂ）のカバーフィルム（２ａ）を当該ＳＭＤキャリアテープ（２ｂ）から処分するための押込器（１）であって、当該押込器は第一の押込ホイール（３）および第二の押込ホイール（４）を有し、前記第一の押込ホイール（３）および前記第二の押込ホイール（４）は、前記カバーフィルム（２ａ）が前記第一の押込ホイール（３）と前記第二の押込ホイール（４）との間で締め付け可能であるとともに、前記第一の押込ホイール（３）と前記第二の押込ホイール（４）との回転によって搬送可能であるように、互いに設けられており、前記押込器（１）は、前記第一の押込ホイール（３）および前記第二の押込ホイール（４）を駆動するための駆動力を生じさせるための駆動装置（５）を有する、押込器において、
前記第一の押込ホイール（３）および前記第二の押込ホイール（４）は、前記駆動装置（５）と機械的に結合されており、それにより駆動される前記第一の押込ホイール（３）と、駆動される前記第二の押込ホイール（４）と、からそれぞれ、前記カバーフィルム（２ａ）を搬送するための搬送力（Ｆ１，Ｆ２）が、前記カバーフィルム（２ａ）に伝達可能であり、
前記押込器（１）は、前記第一の押込ホイール（３）、前記第二の押込ホイール（４）、および前記カバーフィルム（２）の間の圧縮力を生じさせるための圧縮装置（１３）と、前記第一の押込ホイール（３）と前記カバーフィルム（２）との間の前記搬送力（Ｆ１）および／または前記第二の押込ホイール（４）と前記カバーフィルム（２）との間の前記搬送力（Ｆ２）を特定するための力測定装置と、を有しており、前記圧縮装置（１３）は、特定された前記搬送力（Ｆ１，Ｆ２）に応じて前記圧縮力を制御するために形成されていることを特徴とする押込器。
【請求項２】
前記第一の押込ホイール（３）は前記駆動装置（５）と機械的に結合されているとともに、力伝達装置（６）を介して前記第二の押込ホイール（４）と機械的に結合されており、それにより駆動力は前記第一の押込ホイール（３）から前記第二の押込ホイール（４）に伝達可能であり、前記第一の押込ホイール（３）と前記第二の押込ホイール（４）との間で締め付けられている前記カバーフィルム（２ａ）は、前記力伝達装置（６）の外部に設けられていることを特徴とする、請求項１に記載の押込器。
【請求項３】
前記第一の押込ホイール（３）および前記第二の押込ホイール（４）は、駆動力を受容するためにそれぞれ別個に、前記駆動装置（５）と機械的に結合されているか、または、前記第一の押込ホイール（３）は第一の駆動装置（５）と、前記第二の押込ホイール（４）は第二の駆動装置（５）と機械的に結合されていることを特徴とする、請求項１に記載の押込器。
【請求項４】
前記押込器（１）は、前記駆動装置（５）から駆動力を、前記第一の押込ホイール（３）と前記第二の押込ホイール（４）とに、形状接続的に伝達するために形成されていることを特徴とする請求項１から３のいずれか一項に記載の押込器。
【請求項５】
前記第一の押込ホイール（３）および前記第二の押込ホイール（４）は、前記第一の押込ホイール（３）から前記カバーフィルム（２ａ）に伝達される第一の搬送力（Ｆ１）が、前記第二の押込ホイール（４）から前記カバーフィルム（２ａ）に伝達される第二の搬送力（Ｆ２）と一致するように形成され、かつ、前記駆動装置（５）と結合されていることを特徴とする請求項１から４のいずれか一項に記載の押込器。
【請求項６】
前記第一の押込ホイール（３）は第一の摩擦面（１１）を有し、前記第二の押込ホイール（４）は第二の摩擦面（１２）を有しており、前記カバーフィルム（２）は前記搬送力（Ｆ１，Ｆ２）を伝達するために、前記第一の摩擦面（１１）と前記第二の摩擦面（１２）との間で締め付け可能であることを特徴とする請求項１から５のいずれか一項に記載の押込器。
【請求項７】
前記第一の摩擦面（１１）および前記第二の摩擦面（１２）は、前記第一の押込ホイール（３）から前記第二の押込ホイール（４）へと駆動力を伝達するための前記力伝達装置（６）の外部に設けられていることを特徴とする請求項２を引用する請求項６に記載の押込器。
【請求項８】
前記第一の摩擦面（１１）および／または前記第二の摩擦面（１２）は、前記搬送力（Ｆ１，Ｆ２）の伝達を向上させるために、摩擦係数を高めたコーティングを有していることを特徴とする請求項６または請求項７に記載の押込器。
【請求項９】
前記第一の摩擦面（１１）および／または前記第二の摩擦面（１２）は前記搬送力（Ｆ１，Ｆ２）の伝達を向上させるために、ローレット加工部を有していることを特徴とする請求項６から８のいずれか一項に記載の押込器。
【請求項１０】
プリント基板に電子部品を実装するための自動実装機（２０）であって、プリント基板に電子部品を実装するため実装装置（２２）と、電子部品が装備されたＳＭＤキャリアテープ（２ｂ）を前記実装装置（２２）へ搬送するための搬送装置（２１）と、プリント基板（２６）を輸送するための輸送装置（２５）と、を有している自動実装機において、
前記自動実装機（２０）は、前記ＳＭＤキャリアテープ（２ｂ）の前記カバーフィルム（２ａ）を前記ＳＭＤキャリアテープ（２ｂ）から処分するための、請求項１から９のいずれか一項に記載の押込器（１）を有していることを特徴とする自動実装機。
【発明の詳細な説明】
【技術分野】
【０００１】
本発明は、ＳＭＤキャリアテープのカバーフィルムをＳＭＤキャリアテープから処分するための押込器に関する。本発明はまた、本発明に係る押込器を備える自動実装機に関する。
【背景技術】
【０００２】
電子工学的実装技術において、例えば回路基板もしくはプリント基板のような電子基板に電子部品を実装することが知られている。このとき特に、「Ｓｕｒｆａｃｅ−Ｍｏｕｎｔ−Ｄｅｖｉｃｅ」もしくはＳＭＤ法としても知られている表面実装と、「Ｔｈｒｏｕｇｈ−Ｈｏｌｅ−Ｔｅｃｈｎｏｌｏｇｙ」もしくはＴＨＴ法とも称される挿入実装と、が区別される。
【０００３】
ＳＭＤ法では、電子部品を自動実装機に供給するために、例えばＳＭＤキャリアテープが用いられる。特に安全に輸送を行い、不純物や機械的破損から保護するために、ＳＭＤキャリアテープは多くの場合、上側に柔軟性を有するプラスチックから成るカバーフィルムを有し、当該カバーフィルムは、プリント基板に実装を行う前に、自動実装機の実装ヘッドによって除去されるか、もしくは剥離されなければならない。自動化された自動実装機内でこれは例えば、押込器によって行われ、当該押込器を用いてカバーフィルムに搬送力もしくは牽引力を及ぼすことが可能であり、それによりカバーフィルムをＳＭＤキャリアテープから除去し、続いて廃棄物容器内にガイドするか、もしくは廃棄物容器内に押し込む。このような押込器は、カバーフィルムを締め付けるとともに搬送するための、互いに相対的に調整可能な二つの押込ホイールを有しており、第一の押込ホイールはアクティブに駆動可能であり、第二の押込ホイールはカバーフィルムを締め付けるための対向把持部として、および、単に第一の押込ホイールと共に回転するために形成されている。第二の押込ホイールを回転させるための、第一の押込ホイールからの力伝達は例えば、押込ホイールにおける歯部を介して行われ、締め付けられたカバーフィルムは押込ホイールの歯部の間でガイドされ、それにより歯部の歯に接触した状態で変形される。代替的に力伝達は摩擦によって行われるが、搬送力を高め、かつ、押込ホイールとカバーフィルムとのスリップを回避するために、二つの押込ホイールとカバーフィルムとの間の圧縮力を高める必要がある。
【０００４】
既知の押込器には、カバーフィルムが大きな機械的な負荷に曝され、それによりカバーフィルムが容易に損傷され得、場合によっては裂け得るという不利点がある。摩擦による力伝達の際、例えば押込ホイールにおける異物またはその他の不純物がカバーフィルムに押し込まれ得る。カバーフィルムはパワートレーンにおいて、押込ホイール同士の間にガイドされているので、カバーフィルムにはせん断力も作用し得、当該せん断力もまた、カバーフィルムを破損もしくは少なくとも変形させ得る。また圧縮力を高めることにより、シャフトフォースが増大し、それとともに押込ホイールのベアリングの摩耗も増大する。歯部の不利点は、カバーフィルムが歯部によって著しく変形可能であり、特に裂け得ることである。当該変形によってもカバーフィルムは損傷され得、あるいはカバーフィルムの搬送、およびそれに伴う廃棄物容器内へのカバーフィルムの処分が困難になるように変形され得る。ここでもカバーフィルムにおいて望ましくないせん断力が生じ得、当該せん断力は容易にカバーフィルムを裂けさせ得る。したがって既知の押込器は特に、プロセス信頼性が比較的低く、機械の故障が多く、保守整備もしくは修理の間隔が比較的短い。
【発明の概要】
【発明が解決しようとする課題】
【０００５】
従って本発明は、ＳＭＤキャリアテープのカバーフィルムをＳＭＤキャリアテープから処分するための押込器において、上記の不利点を少なくとも部分的に解消することを課題とする。
【０００６】
特に本発明の課題は、ＳＭＤキャリアテープのカバーフィルムをＳＭＤキャリアテープから処分するための押込器と、プリント基板に電子部品を実装するための自動実装機と、であって、当該押込器および自動実装機は、簡単かつ廉価な方法で、ＳＭＤキャリアテープからカバーフィルムを除去もしくは処分し、それによりプロセス信頼性を向上させ、機械の故障を減らすとともに、保守整備もしくは修理の間隔を延長することを確実にする、押込器および自動実装機を創出するというものである。
【課題を解決するための手段】
【０００７】
上記の課題は特許請求の範囲によって解決される。それによれば上記の課題は独立請求項１の特徴を備える押込器と、独立請求項１１の特徴を備える自動実装機と、によって解決される。本発明のさらなる特徴および詳細は、従属請求項と、詳細な説明および図面と、に記載されている。このとき本発明に係る押込器に関連して説明されている特徴および詳細は、当然ながら本発明に係る自動実装機との関連においても当てはまり、その逆もまた成り立つので、個々の発明の態様についての開示に関しては、常に相互に参照され、もしくは参照され得る。
【０００８】
本発明の第一の態様によれば前記の課題は、ＳＭＤキャリアテープのカバーフィルムをＳＭＤキャリアテープから処分するための押込器によって解決される。当該押込器は第一の押込ホイールおよび第二の押込ホイールを有し、前記第一の押込ホイールおよび前記第二の押込ホイールは、カバーフィルムが前記第一の押込ホイールと前記第二の押込ホイールとの間で締め付け可能であるとともに、前記第一の押込ホイールと前記第二の押込ホイールとの回転によって搬送可能であるように、互いに設けられている。前記押込器はさらに、前記第一の押込ホイールおよび前記第二の押込ホイールを駆動するための駆動力を生じさせるための駆動装置を有する。本発明によれば前記第一の押込ホイールおよび前記第二の押込ホイールは、前記駆動装置と機械的に結合されており、それにより駆動される前記第一の押込ホイールと、駆動される前記第二の押込ホイールと、からそれぞれ、カバーフィルムを搬送するための搬送力が、当該カバーフィルムに伝達可能である。
【０００９】
第一の押込ホイールおよび第二の押込ホイールは好適に、第一の押込ホイールの第一の周面が、第二の押込ホイールの第二の周面に向かい合うとともに、好適にテープ状に形成されているカバーフィルムが、前記第一の周面と前記第二の周面との間で締め付け可能であるように互いに設けられている。前記第一の周面および／または前記第二の周面は本発明によれば、例えば平滑に形成され、特に研磨されるか、または艶出しされて形成されてよい。カバーフィルムの締め付けは、カバーフィルムと、第一の押込ホイールおよび第二の押込ホイールと、の間の圧縮力を用いて行われ、当該圧縮力は例えば圧縮バネによって生じさせられる。当該圧縮力に基づいて、回転する第一の押込ロールおよび回転する第二の押込ロールと、カバーフィルムと、の間に摩擦力を生じさせることができ、当該摩擦力はカバーフィルムが持ち去られること、それとともに当該カバーフィルムがＳＭＤキャリアテープから引き離されることを生じさせる。当該摩擦力は以下において、搬送力と称される。押込器は好適に、カバーフィルムを廃棄物容器内に搬送する、もしくは押し込むために形成されている。
【００１０】
駆動装置は、第一の押込ホイールおよび第二の押込ホイールを駆動力によって駆動するために形成されている。このとき第一の押込ホイールおよび第二の押込ホイールは、第一の押込ホイールからも、第二の押込ホイールからもそれぞれ、カバーフィルムを搬送するための搬送力がカバーフィルムに伝達可能であるように、駆動装置と機械的に結合されている。これは、第一の押込ホイールおよび第二の押込ホイールが駆動装置によって駆動され、駆動装置から第二の押込ホイールへの駆動力の力伝達が、もはやカバーフィルムを介してではなく、代替的な力経路を介して行われることを意味する。このようにして、二つの押込ホイールがカバーフィルムに搬送力を伝達することが可能である。駆動力は、押込ホイールを介して搬送力に変換される。駆動装置は好適に電気モータを有する。
【００１１】
本発明に係る押込器は、従来の押込器に対して特に、第二の押込ホイールの駆動が、カバーフィルムから機械的に切り離されているという有利点を有する。従ってカバーフィルムはパワートレーンにおいてもはや、駆動装置と第二の押込ホイールとの間にない。これによりカバーフィルムの機械的負荷を著しく減少させることができる。歯車として形成された押込ホイールの間にカバーフィルムを挟み込み、それに伴ってカバーフィルムを変形させることは必要なくなる。加えて、第二の押込ホイールをこのように駆動することは、搬送力が第一の押込ホイールと第二の押込ホイールとから均一に、両面においてカバーフィルムに伝達可能であるという有利点を有する。せん断力は生じず、カバーフィルムははるかに小さな機械的応力を受ける。さらに、本発明に係る押込器によって、押込ホイールからカバーフィルムに、はるかに大きな搬送力が伝達可能である。このようにして搬送時のプロセス信頼性が向上し、それに伴ってＳＭＤキャリアテープから廃棄物容器内へのカバーフィルムの処分が改善される。
【００１２】
本発明の好適な発展的構成によれば、押込器において、第一の押込ホイールは駆動装置と機械的に結合されているとともに、力伝達装置を介して第二の押込ホイールと機械的に結合されており、それにより駆動力は第一の押込ホイールから第二の押込ホイールに伝達可能である。このとき第一の押込ホイールと第二の押込ホイールとの間で締め付けられているカバーフィルムは、力伝達装置の外部にあり、従って力伝達装置のパワートレーン内に設けられていない。第二の押込ホイールはこうして力伝達装置を介して、第一の押込ホイールと機械的に結合されており、第一の押込ホイールを介して、駆動装置と機械的に結合されている。カバーフィルムは搬送にあたり、力伝達装置の外部に設けることができ、それによりカバーフィルムは、力伝達装置による付加的な機械的応力を受けない。力伝達装置は例えば、ベルト駆動部または歯車構造体を有し得る。このとき、力伝達装置が別個の構成グループとして形成され、押込ホイールに一時的に固定可能であることが行われてよい。これにより例えば、修理コストが低減され得る。このような力伝達装置は、第二の押込ホイールが簡単な手段によって、駆動装置と機械的に結合可能であるという有利点を有する。さらにこのような押込器は、コンパクトかつメンテナンスの手間がかからない構成型式を有する。
【００１３】
第一の押込ホイールおよび第二の押込ホイールは、駆動力を受容するためにそれぞれ別個に、駆動装置と機械的に結合されている。代替的に、第一の押込ホイールは第一の駆動装置と、第二の押込ホイールは第二の駆動装置と機械的に結合されている。これは押込ホイールが相互に駆動を行うために形成されているのではなく、それぞれ単独の駆動装置によって、もしくは別個の駆動装置によって駆動可能であることを意味する。駆動装置と別個に結合することは、プロセス信頼性が向上するか、もしくは押込器の故障の起こりやすさが減少するという有利点を有する。さらにこのような押込器は、複雑性が小さく、従って特にメンテナンスし易い。
【００１４】
さらに好適に押込器は、駆動装置から駆動力を、第一の押込ホイールと第二の押込ホイールとに、形状接続的に伝達するように形成されている。形状接続的な力伝達は例えば、歯車駆動部または歯付きベルト駆動部を介して行われ得る。
【００１５】
本発明によれば押込器において、第一の押込ホイールおよび第二の押込ホイールは、第一の押込ホイールからカバーフィルムに伝達される第一の搬送力が、第二の押込ホイールからカバーフィルムに伝達される第二の搬送力と一致するように形成され、かつ、駆動装置と結合されることが行われてよい。本発明によればまた、第一の搬送力および第二の搬送力は異なる大きさに調整可能であり、それにより例えばカバーフィルムにおいて目標を定めてせん断力を生じさせる。
【００１６】
一の好適な実施の形態において、第一の押込ホイールは第一の摩擦面を有し、第二の押込ホイールは第二の摩擦面を有しており、カバーフィルムは、当該カバーフィルムに搬送力を伝達するために、第一の摩擦面と第二の摩擦面との間で締め付け可能である。摩擦面には、押込ホイールとカバーフィルムとの間で、圧縮力を等しく保った状態で摩擦力もしくは搬送力を増大できるという有利点がある。これにより特に、押込ホイールのベアリングおよびカバーフィルムの機械的応力が低減される。
【００１７】
第一の摩擦面および第二の摩擦面が、第一の押込ホイールから第二の押込ホイールへと駆動力を伝達するための力伝達装置の外部に設けられていると好適である。このようにして、第一の押込ホイールから第二の押込ホイールへと駆動力を伝達するための力伝達装置のパワートレーンと、押込ホイールからカバーフィルムへと搬送力をさらに伝達するためのパワートレーンと、は互いに分離されており、それによりカバーフィルムは力伝達装置によって機械的な負荷を受け得ない。
【００１８】
第一の摩擦面および／または第二の摩擦面は好適に、搬送力の伝達を向上させるために、摩擦係数を高めたコーティングを有する。コーティングは例えば、ゴム被覆を有し得、化学的にニッケル、タングステンカーバイドなどを有し得る。このようなコーティングを用いて好適な方法で、押込ホイールとカバーフィルムとの間の圧縮力が等しい状態で、より大きな搬送力がカバーフィルムに伝達可能である。これにより押込ホイールのベアリングの負荷は小さくなり、従って摩耗が小さくなる。
【００１９】
本発明によれば押込器において、付加的または代替的に、第一の摩擦面および／または第二の摩擦面は、搬送力の伝達を向上させるために、ローレット加工部を有し得る。ローレット加工部は簡単な手段で、廉価に作り出すことができる。
【００２０】
押込器が、第一の押込ホイール、第二の押込ホイール、およびカバーフィルムの間の圧縮力を生じさせるための圧縮装置と、第一の押込ホイールとカバーフィルムとの間の搬送力および／または第二の押込ホイールとカバーフィルムとの間の搬送力を特定するための力測定装置と、を有していると好適であり、圧縮装置は好適に、特定された搬送力に応じて圧縮力を制御するように形成されている。力測定装置は例えばひずみゲージ、圧電素子などを有し得る。このような圧縮装置および力測定装置を用いて、所定の搬送力は容易に簡単な手段で調整可能である。これにより圧縮力は、カバーフィルムを搬送するために必要な最小値に低減可能であり、それにより押込ホイールのベアリングの負荷を減少させることができる。
【００２１】
本発明の第二の態様によれば、前記の課題は、プリント基板に電子部品を実装するための自動実装機によって解決される。自動実装機はＳＭＤキャリアテープを処分するための搬送装置と、プリント基板に電子部品を実装するため実装装置と、プリント基板を輸送するための輸送装置と、を有している。自動実装機はまた、ＳＭＤキャリアテープのカバーフィルムをＳＭＤキャリアテープから処分するための押込器を有している。
【００２２】
本発明の第一の態様による押込器について詳細に述べた全ての有利点は、本発明の第二の態様による自動実装機にも当てはまる。従って、本発明に係る自動実装機は、従来の自動実装機に対して、第二の押込ホイールを駆動することが、カバーフィルムから機械的に切り離されているという有利点を有する。従ってカバーフィルムはパワートレーンにおいて、もはや駆動装置と第二の押込ホイールとの間にない。これによりカバーフィルムの機械的負荷を著しく減少させることができる。歯車として形成された押込ホイールの間にカバーフィルムを挟み込み、それに伴ってカバーフィルムを変形させることは必要なくなる。加えて、第二の押込ホイールをこのように駆動することは、搬送力が第一の押込ホイールと第二の押込ホイールとから均一に、両面においてカバーフィルムに伝達可能であるという有利点を有する。せん断力は生じず、カバーフィルムははるかに小さな機械的応力を受ける。さらに、本発明に係る押込器によって、押込ホイールからカバーフィルムに、はるかに大きな搬送力が伝達可能である。このようにして搬送時のプロセス信頼性が向上し、それに伴ってＳＭＤキャリアテープから廃棄物容器内へのカバーフィルムの処分が改善される。
【００２３】
本発明のさらなる有利点、特徴、および詳細は、以下の図の詳細な説明に記載されており、当該詳細な説明では図面を参照しながら本発明の実施の態様が個々に説明されている。このとき、請求の範囲および詳細な説明において言及された特徴は、それぞれ個々に単独で、あるいは任意の組み合わせにおいて、本発明にとって不可欠である。図面がそれぞれ概略的に示すのは以下の通りである。
【図面の簡単な説明】
【００２４】
【図１】本発明に係る押込器の一の好適な実施の形態の部分を側面において示す図である。
【図２】図１の押込器を側面において示す図である。
【図３】本発明に係る自動実装機の一の好適な実施の形態を側面において示す図である。
【発明を実施するための形態】
【００２５】
同一の機能および作用を備える要素には、図１から図３においてそれぞれ同一の参照番号が付されている。
【００２６】
図１および図２はそれぞれ、本発明に係る押込器１の第一の実施の形態の部分を側面において概略的に示している。押込器１は第一の押込ホイール３と、第二の押込ホイール４と、を有し、当該押込ホイールは本実施の形態では、ほぼ同一の直径を有している。代替的に第一の押込ホイール３および第二の押込ホイール４は、異なる直径を有し得る。第一の押込ホイール３および第二の押込ホイール４は、それぞれ回転軸線９を有しており、当該回転軸線は互いに平行に規定されている。図３に図示されているＳＭＤキャリアテープ２ｂのカバーフィルム２ａは、第一の押込ホイール３と第二の押込ホイール４との間に設けられており、圧縮力を用いて締め付けられている。これにより第一の押込ホイール３および第二の押込ホイール４の回転は、カバーフィルム２ａに対する摩擦力を生じさせ、それによりそれぞれ、カバーフィルム２ａを図１に示される搬送方向ＦＲに搬送するために、当該カバーフィルム２ａに搬送力Ｆ１，Ｆ２を伝達させる。
【００２７】
この好適な実施の形態において押込器１は、第一の歯車７と、当該第一の歯車７と噛合する第二の歯車８と、を備える力伝達装置６を有し、第一の歯車７はねじり耐性を有して、かつ同軸的に第一の押込ホイール３に設けられ、第二の歯車８はねじり耐性を有して、かつ同軸的に第二の押込ホイール４に設けられている。さらに押込器１は、好適に電気モータとして形成されるとともに、第三の歯車１０を備える駆動装置５を有し、第三の歯車１０は第一の歯車７と噛合する。これにより第一の押込ホイール３は駆動装置５によって駆動可能であり、第二の押込ホイール４は力伝達装置６を介して駆動可能である。従ってカバーフィルム２ａは、第一の押込ホイール３および第二の押込ホイール４の駆動のパワートレーン内にない。第一の押込ホイール３および第二の押込ホイール４をこのように駆動することにより、第一の押込ホイール３と第二の押込ホイール４とからそれぞれ、搬送力Ｆ１，Ｆ２がカバーフィルム２ａに伝達可能であることが保証される。カバーフィルム２ａはこれにより、より均一に負荷を受ける。このようにして、第一の押込ホイール３、第二の押込ホイール４、およびカバーフィルム２ａの間の所定の圧縮力において、著しく大きな搬送力Ｆ１，Ｆ２がカバーフィルム２ａに伝達可能である。これはまた本発明によれば、所定の搬送力Ｆ１，Ｆ２を伝達するために必要な圧縮力が著しく小さくなり、それにより押込ホイール３，４のベアリングの負荷が軽減されることを意味する。
【００２８】
押込器１は第一の押込ホイール３、第二の押込ホイール４、およびカバーフィルム２ａの間に圧縮力を生じさせるための圧縮装置１３を有し得る。これにより搬送すべきカバーフィルム２ａに及ぼす圧縮力は調整可能である。力測定装置１４を介して、第一の押込ホイール３とカバーフィルム２ａとの間の圧縮力もしくは搬送力Ｆ１および／または第二の押込ホイール４とカバーフィルム２ａとの間の圧縮力もしくは搬送力Ｆ２が特定され得る。圧縮装置１３は好適に、特定された搬送力に応じて圧縮力が制御され得るように形成されている。力測定装置１４は例えば、ひずみゲージ、圧電素子などを有し得る。このような圧縮装置１３および力測定装置１４を用いて、所定の搬送力Ｆ１，Ｆ２は容易に簡単な手段で調整可能である。
【００２９】
図１および図２は好適な実施の形態のみを図示している。力伝達装置６および／または駆動装置は例えば、歯車７，８，１０の代わりに、図に示されていないベルト駆動部、摩擦駆動部などを有し得る。さらに駆動装置５と第一の押込ホイール３との代替的な機械的結合であって、力の流れが力伝達装置６を介さないで進行する機械的結合が行われてよい。付加的または代替的に第一の押込ホイール３と第二の押込ホイール４はそれぞれ、駆動装置５と直接的に機械的に結合されているか、またはそれぞれ別個の駆動装置５と機械的に結合されていることが行われてよい。これらの場合、第一の押込ホイール３および第二の押込ホイール４を、力伝達装置６を介して機械的に結合することは必要なくなる。
【００３０】
図３では、本発明に係る自動実装機２０の一の好適な実施の形態を側面から見たものを概略的に図示している。自動実装機２０は好適に、いわゆるフィーダを有しており、当該フィーダは例えば、ロール２３として巻かれたＳＭＤキャリアテープ２ｂであって、一の面において当該ＳＭＤキャリアテープを被覆するカバーフィルム２ａを備えるＳＭＤキャリアテープを供給するために形成されている。さらに自動実装機２０は、特にＳＭＤキャリアテープ２ｂを搬送もしくは処分するための搬送装置２１を有している。自動実装機２０は輸送装置２５を有し、当該輸送装置はプリント基板２６を輸送するために形成されている。輸送装置を用いて、実装されていないプリント基板２６は例えば自動実装機２０の実装装置２２に輸送可能であり、実装されたプリント基板２６は、実装装置２２から離れるように輸送可能である。実装装置２２は、プリント基板２６に、ＳＭＤキャリアテープ２ｂによって供給された電子部品を実装するために形成されている。実装は特に、プリント基板２６上に電子部品を設置することと、導電的に固定することと、を含んでいる。実装装置２２とロール２３との間に、本発明に係る押込器１が設けられ、当該押込器を用いて、カバーフィルム２ａはＳＭＤキャリアテープ２ｂから剥離可能であり、自動実装機２０の廃棄物容器２４内に搬送可能もしくは押し込み可能であり、それにより処分可能である。
【符号の説明】
【００３１】
１  押込器
２ａ  カバーフィルム
２ｂ  ＳＭＤキャリアテープ
３  第一の押込ホイール
４  第二の押込ホイール
５  駆動装置
６  力伝達装置
７  第一の歯車
８  第二の歯車
９  回転軸線
１０  第三の歯車
１１  第一の摩擦面
１２  第二の摩擦面
１３  圧縮装置
１４  力測定装置
２０  自動実装機
２１  搬送装置
２２  実装装置
２３  ロール
２４  廃棄物容器
２５  輸送装置
２６  プリント基板
Ｆ１  搬送力
Ｆ２  搬送力
ＦＲ  搬送方向
【図１】
0006465924.tif 000002
【図２】
0006465924.tif 000003
【図３】
0006465924.tif 000004